(57)【要約】      （修正有）【課題】ページング機能を有さないシステムにおいて、ページングを有するシステムと同様に死活監視制御及びセッションの切断をする。【解決手段】複数の無線システムに接続する移動端末と、前記移動端末との無線リンクの接続状態をアクセスポイントが管理する第１の無線システムを終端する第１の接続装置と、前記移動端末との無線リンクの接続状態をアクセスポイントが管理しない第２の無線システムを終端する第２の接続装置と、を備える移動体通信システムにおいて実行される前記移動端末の死活監視方法であって、前記第２の接続装置は、前記第１の接続装置から、前記第１の無線システムにおける前記移動端末の接続状態を取得し、前記取得した移動端末の接続状態に基づいて監視制御処理を変更する。【選択図】図７
2008312091.tif 000002
【特許請求の範囲】
【請求項１】
複数の無線システムに接続する移動端末と、前記移動端末との無線リンクの接続状態をアクセスポイントが管理する第１の無線システムを終端する第１の接続装置と、前記移動端末との無線リンクの接続状態をアクセスポイントが管理しない第２の無線システムを終端する第２の接続装置と、を備える移動体通信システムにおいて実行される前記移動端末の死活監視方法であって、
前記第２の接続装置は、
前記第１の接続装置から、前記第１の無線システムにおける前記移動端末の接続状態を取得し、
前記取得した移動端末の接続状態に基づいて監視制御処理を変更することを特徴とする死活監視方法。
【請求項２】
前記第２の接続装置は、
所定の周期で死活監視パケットを前記移動端末に送信し、
前記移動端末から前記死活監視パケットに対する応答がない場合、前記第１の接続装置を経由して省電力解除パケットを前記移動端末に送信することによって前記移動端末を省電力モード状態からアクティブ状態に遷移させ、
前記死活監視パケットを再び前記移動端末に送信することを特徴とする請求項１に記載の死活監視方法。
【請求項３】
前記監視制御処理は、前記移動端末と前記第２の接続装置とのセッションを解放する処理、前記移動端末と前記第２の接続装置とのセッションを継続する処理、前記移動端末に送信する死活監視パケットの送信周期を延長する処理、及び前記移動端末をアクティブ状態に遷移させて死活監視パケットを送信する処理のうちの少なくとも一つの方法を含むことを特徴とする請求項１に記載の死活監視方法。
【請求項４】
前記第２の接続装置は、
所定の周期で死活監視パケットを前記移動端末に送信し、
前記移動端末から前記死活監視パケットに対する応答がない場合、前記監視制御処理の設定を管理者に求めることを特徴とする請求項１に記載の死活監視方法。
【請求項５】
複数の無線システムに接続する移動端末と、前記移動端末との無線リンクの接続状態をアクセスポイントが管理する第１の無線システムを終端する第１の接続装置と、前記移動端末との無線リンクの接続状態をアクセスポイントが管理しない第２の無線システムを終端する第２の接続装置と、前記移動端末と前記各無線システムとの接続状態を管理するセッション管理サーバと、を備える移動体通信システムにおいて実行される前記移動端末の死活監視方式であって、
前記第１の接続装置及び前記第２の接続装置は、前記移動端末の接続状態を前記セッション管理サーバに通知し、
前記セッション管理サーバは、前記通知された接続状態を管理し、
前記第２の接続装置は、前記セッション管理サーバから前記第１の無線システムにおける前記移動端末の接続状態を取得し、前記取得した移動端末の接続状態に基づいて監視制御処理を変更することを特徴とする死活監視方法。
【請求項６】
移動体通信システムに含まれる無線ＬＡＮシステムを終端する第１の接続装置であって、
前記移動体通信システムは、複数の無線システムに接続される移動端末との無線リンクの接続状態をアクセスポイントが管理する無線システムを終端する第２の接続装置を備え、
前記第１の接続装置は、前記第２の接続装置から前記第２の接続装置によって終端される無線システムにおける前記移動端末の接続状態を取得し、前記取得した移動端末の接続状態に基づいて監視制御処理を実行することを特徴とする接続装置。
【請求項７】
前記第２の接続装置は、
所定の周期で死活監視パケットを前記移動端末に送信し、
前記移動端末から前記死活監視パケットに対する応答がない場合、前記第１の接続装置を経由して省電力解除パケットを前記移動端末に送信することによって前記移動端末を省電力モード状態からアクティブ状態に遷移させ、
前記死活監視パケットを再び前記移動端末に送信することを特徴とする請求項６に記載の接続装置。
【請求項８】
前記監視制御処理は、前記移動端末と前記第２の接続装置とのセッションを解放する処理、前記移動端末と前記第２の接続装置とのセッションを継続する処理、前記移動端末に送信する死活監視パケットの送信周期を延長する処理、及び前記移動端末をアクティブ状態に遷移させて死活監視パケットを送信する処理のうちの少なくとも一つの方法を含むことを特徴とする請求項６に記載の接続装置。
【請求項９】
前記第２の接続装置は、
所定の周期で死活監視パケットを前記移動端末に送信し、
前記移動端末から前記死活監視パケットに対する応答がない場合、前記監視制御処理の設定を管理者に求めることを特徴とする請求項６に記載の接続装置。
【請求項１０】
移動体通信システムに含まれる無線ＬＡＮシステムを終端する第１の接続装置であって、
前記移動体通信システムは、複数の無線システムに接続する移動端末と、前記移動端末との無線リンクの接続状態をアクセスポイントが管理する第１の無線システムを終端する第１の接続装置と、前記移動端末と前記各無線システムとの接続状態を管理するセッション管理サーバと、を備え、
前記第１の接続装置及び前記第２の接続装置は、前記前記移動端末の接続状態を前記セッション管理サーバに通知し、
前記セッション管理サーバは、前記通知された接続状態を管理し、
前記第２の接続装置は、前記セッション管理サーバから前記第１の無線システムにおける前記移動端末の接続状態を取得し、前記取得した移動端末の接続状態に基づいて監視制御処理を変更することを特徴とする接続装置。
【請求項１１】
複数の無線システムに接続する移動端末と、前記移動端末との無線リンクの接続状態をアクセスポイントが管理する第１の無線システムを終端する第１の接続装置と、前記移動端末との無線リンクの接続状態をアクセスポイントが管理しない第２の無線システムを終端する第２の終端装置と、を備える移動体通信システムであって、
前記第２の接続装置は、
前記第１の接続装置から前記第１の無線システムにおける前記移動端末の接続状態を取得し、
前記取得した移動端末の接続状態に基づいて監視制御処理を変更することを特徴とする移動体通信システム。
【請求項１２】
前記第２の接続装置は、
所定の周期で死活監視パケットを前記移動端末に送信し、
前記移動端末から前記死活監視パケットに対する応答がない場合、前記第１の接続装置を経由して省電力解除パケットを前記移動端末に送信することによって前記移動端末を省電力モード状態からアクティブ状態に遷移させ、
前記死活監視パケットを再び前記移動端末に送信することを特徴とする請求項１１に記載の移動体通信システム。
【請求項１３】
前記監視制御処理は、前記移動端末と前記第２の接続装置とのセッションを解放する処理、前記移動端末と前記第２の接続装置とのセッションを継続する処理、前記移動端末に送信する死活監視パケットの送信周期を延長する処理、及び前記移動端末をアクティブ状態に遷移させて死活監視パケットを送信する処理のうちの少なくとも一つの方法を含むことを特徴とする請求項１１に記載の移動体通信システム。
【請求項１４】
前記第２の接続装置は、
所定の周期で死活監視パケットを前記移動端末に送信し、
前記移動端末から前記死活監視パケットに対する応答がない場合、前記監視制御処理の設定を管理者に求めることを特徴とする請求項１１に記載の移動体通信システム。
【請求項１５】
複数の無線システムに接続する移動端末と、前記移動端末との無線リンクの接続状態をアクセスポイントが管理する第１の無線システムを終端する第１の接続装置と、前記移動端末との無線リンクの接続状態をアクセスポイントが管理しない第２の無線システムを終端する第２の接続装置と、前記移動端末と前記各無線システムとの接続状態を管理するセッション管理サーバと、を備える移動体通信システムであって、
前記第１の接続装置及び前記第２の接続装置は、前記移動端末の接続状態を前記セッション管理サーバに通知し、
前記セッション管理サーバは、前記通知された接続状態を管理し、
前記第２の接続装置は、前記セッション管理サーバから前記第１の無線システムにおける前記移動端末の接続状態を取得し、前記取得した移動端末の接続状態に基づいて監視制御処理を変更することを特徴とする移動体通信システム。
【発明の詳細な説明】
【技術分野】
【０００１】
本発明は、複数の無線通信システムを統合した移動体通信システムにおける移動端末の死活監視方法に関し、特に、移動端末の接続状態に最適な死活監視方法を選択するための死活監視制御に関する。
【背景技術】
【０００２】
近年、ブロードバンドインターネットサービスの普及、及び、第３世代携帯端末の普及によって、音楽ダウンロードを始めとする移動体通信システムにおける大容量のデータを転送するニーズの拡大によって、セルら無線システムに加えて、ＷｉＦｉ及びＷｉＭＡＸ等の広帯域無線アクセス技術を用いた高速及び大容量のデータ伝送システムの実現が望まれている。
【０００３】
第３世代携帯電話の標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）及び３ＧＰＰ２（３ｒｄ  Ｇｅｎｅｒａｔｉｏｎ  Ｐａｒｔｎｅｒｓｈｉｐ  Ｐｒｏｊｅｃｔ  ２）は、ＩＭＳ（ＩＰ  Ｍｕｌｔｉｍｅｄｉａ  Ｓｕｂｓｙｓｔｅｍ）／ＭＭＤ（ＭｕｌｔｉＭｅｄｉａ  Ｄｏｍａｉｎ）と呼ばれるＡｌｌ−ＩＰネットワークの公衆携帯電話網技術を標準化している。また、３ＧＰＰ及び３ＧＰＰ２は、高速及び大容量のデータ伝送システムを実現するため、ＷｉＦｉアクセス経由での３ＧサービスＦＭＣ（Ｆｉｘｅｄ  Ｍｏｂｉｌｅ  Ｃｏｎｖｅｒｇｅｎｃｅ）システムによる標準化を推進している。移動体通信システムは、ＷｉＦｉアクセス経由での３ＧサービスＦＭＣによって、移動体通信基盤をＡＬＬ−ＩＰ化することができる。このため、コスト削減、及び、固定網通信と移動体通信との融合が可能となる。また、移動端末は、移動端末の場所又は状況に応じて最適な通信手段を選択することが可能となる。
【０００４】
前述したように、移動体通信システムは、複数の通信方式を用いて通信する移動端末が接続されるため、アクセス形態の多様化によって課金制御及びアクセス制御等様々な制御を柔軟に行う必要がある。
【０００５】
また、移動端末は、通常、バッテリーによって電源が供給されるため、長時間の通信が困難とされるが、移動端末の消費電力の削減によって、ＥＶＤＯシステムを代表とするセルラ無線システムで使用される移動端末は、通信中に一定時間データが送受信されない場合又は電波の状態が悪い場合に、インターネットへの接続を維持したまま、一時的に無線リンクを解放する省電力モードの機能を備え、消費電力を削減している。
【０００６】
しかし、複数の移動体通信網に接続可能な移動端末は、複数の無線受信機を搭載することによって消費電力が大きくなり、長時間使用することが課題となる。特許文献１に記載された技術によると、通信をしていない状態又は通信を必要としていない無線システムの無線受信機が、移動端末へのパケットを用いた着信等、移動端末との通信が必要となった場合に、一方の無線システムの基地局から特定の無線受信機の起動要求を含んだページング通知を送信するページング機能によって再度アクセスネットワークへ接続することが記載されている。しかし、この技術を用いる場合、移動端末の消費電力の削減に関しては大きな効果が得られるが、アクセスゲートウェイ装置と移動端末とのコネクションは切断されるため、再び端末とアクセスゲートウェイ装置との間でコネクションを確立する必要がある。特に、常時接続を想定したサービスを提供する場合には、再度アクセスネットワークへ接続することによって、接続性を低下させる課題が残る。
【０００７】
次に、移動体通信システムに備わるアクセスゲートウェイ装置の課題を説明する。アクセスゲートウェイ装置は、接続される移動端末のアクセス認証及びパケット転送等を行なうが、無線状況の変化又は突然のバッテリー切れによる電源断によって、移動端末とのコネクションが正常に解放されないことがある。このため、通常、アクセスゲートウェイ装置は、移動端末との接続状態を確認するために、定期的に死活監視パケット送受信することによって、移動端末の接続状態を監視する。
【０００８】
具体的に、図２２を用いてセルラ無線システムでの死活監視手順を説明する。
【０００９】
図２２は、従来技術のセルラ無線システムにおける死活監視手順を説明したシーケンス図である。
【００１０】
ＭＳ（Ｍｏｂｉｌｅ  Ｓｔａｔｉｏｎ）１５は、セルラ無線システムに接続される移動端末である。また、ＰＣＦ（Ｐａｃｋｅｔ  Ｃｏｎｔｒｏｌ  Ｆｕｎｃｔｉｏｎ）１０は、ＥＶＤＯシステムにおける基地局である。また、ＰＤＳＮ（Ｐａｃｋｅｔ  Ｄａｔａ  Ｓｅｒｖｉｎｇ  Ｎｏｄｅ）７は、セルラ無線システムにおけるアクセスゲートウェイ装置である。
【００１１】
ＰＤＳＮ７は、ＭＳ１５とのセッションをＰＰＰ（Ｐｏｉｎｔ  ｔｏ  Ｐｏｉｎｔ  Ｐｒｏｔｏｃｏｌ）で管理している。
【００１２】
まず、ＰＤＳＮ７は、ＰＰＰを用いて死活監視パケットをＭＳ１５に送信する（Ｓ１）。
【００１３】
次に、ＭＳ１５がアクティブの状態（Ｐ１）である場合、ＭＳ１５は、Ｓ１で受信した死活監視パケットに対する応答パケットをＰＤＳＮ７に送信する（Ｓ２）。ＰＤＳＮ７は、応答パケットを受信することによって、ＭＳ１５とデータを送受信できる状態であることを判定し、当該ＭＳ１５とのセッションを維持する。
【００１４】
次に、ＭＳ１５の状態が圏外又は省電力モード（Ｐ２）に遷移した場合、ＰＤＳＮ７は、死活監視パケットをＰＣＦ１０に送信する（Ｓ３）。ＰＣＦ１０は、ＭＳ１５との無線リンクが解放状態（Ｐ２Ａ）であるため、ＰＤＳＮ７からＭＳ１５に対しての死活監視パケットを受信した後、ページング通知をＭＳ１５に送信する。具体的に、ＰＣＦ１０は、ＭＳ１５に対して、パケットの着信がある旨を通知する信号をＭＳ１５に送信する。
【００１５】
次に、ＭＳ１５の状態が圏外である場合、ＰＣＦ１０は、ＰＤＳＮ７に対して圏外通知を送信し（図示省略）、ＰＤＳＮ７は、ＭＳ１５とのセッションを切断する（Ｆ１）。一方、ＭＳ１５が省電力モードの状態である場合、Ｓ４でページング通知を送信することによって、ＭＳ１５は、アクティブの状態（Ｐ３）に遷移する。そして、ＰＣＦ１０は、ＰＤＳＮ７から受信した死活監視パケットをＭＳ１５に転送する（Ｓ５）。
【００１６】
次に、ＭＳ１５は、受信した死活監視パケットに対する応答パケットをＰＤＳＮ７に送信する（Ｓ６）。ＰＤＳＮ７は、ＭＳ１５から応答メッセージを受信した場合、ＭＳ１５とデータを送受信できる状態であることを判定し、当該ＭＳ１５とのセッションを維持する。
【００１７】
次に、ＭＳ１５が電源をＯＦＦ（Ｐ４）にした場合、まず、ＭＳ１５は、切断通知をＰＤＳＮ７に送信する（Ｓ７）。ＰＤＳＮ７は、ＭＳ１５から切断通知を受信することによって、当該ＭＳ１５とのセッションを解放する（Ｆ２）。ＰＤＳＮ７とＭＳ１５とのセッションが解放されることによって、ＰＣＦ１０とＭＳ１５との無線リンクは解放状態になる（Ｐ４Ａ）。
【００１８】
このように、セルラ無線システムは、無線システムの基地局から特定の移動端末の起動要求を含んだページング通知を送信するページング機能を備えたシステムであるため、移動端末が省電力モードの状態であり、死活監視制御を実行しているときに移動端末を活性化させることが可能であり、ＰＤＳＮは、ＰＣＦからの通知によって移動端末の無線リンクの接続状態を検知することが可能である。したがって、ＥＶＤＯシステムでは、移動端末の状態が電源ＯＦＦの状態又は圏外の状態のように無線電波が届かない場合に、移動端末が不活性の状態であるとし、アクティブの状態又は省電力モードの状態である場合には、活性の状態であると判断することが可能である。
【００１９】
次に、無線ＬＡＮシステムでの死活監視手順を説明する。
【００２０】
図２３は、従来技術の無線ＬＡＮシステムでの死活監視手順を説明したシーケンス図である。
【００２１】
ＭＳ１５は、無線ＬＡＮシステムに接続する移動端末である。また、ＢＢＲ（Ｂｒｏａｄ  Ｂａｎｄ  Ｒｏｕｔｅｒ）１１は、無線ＬＡＮシステムにおけるブロードバンドルータである。また、ＰＤＩＦ（Ｐａｃｋｅｔ  Ｄａｔａ  Ｉｎｔｅｒｗｏｒｋｉｎｇ  Ｆｕｎｃｔｉｏｎ）８は、無線ＬＡＮシステムにおけるアクセスゲートウェイ装置である。
【００２２】
ＰＤＩＦ８は、ＭＳ１５とのセッションをＩＰｓｅｃＳＡ（Ｓｅｃｕｒｉｔｙ  Ａｓｓｏｃｉａｔｅ）によって管理する。ＩＰｓｅｃＳＡは、ＭＳ１５を起動する時に、ＩＫＥ（Ｉｎｔｅｒｎｅｔ  Ｋｅｙ  Ｅｘｃｈａｎｇｅ）を用いて生成される。無線ＬＡＮシステムでの死活監視制御は、ＩＫＥの標準機能を用いて実行される。
【００２３】
まず、ＰＤＩＦ８は、ＩＫＥを用いて死活監視パケットをＭＳ１５に送信する（Ｓ８）。
【００２４】
次に、ＭＳ１５がアクティブの状態（Ｐ５）である場合、ＭＳ１５は、Ｓ８で受信した死活監視パケットに対する応答パケットをＰＤＩＦ８に送信する（Ｓ９）。ＰＤＩＦ８は、ＭＳ１５から応答パケットを受信することによって、ＭＳ１５が生存していることを判定し、当該ＭＳ１５とのセッションを維持する。
【００２５】
次に、ＭＳ１５の状態が圏外（Ｐ６）である場合、ＰＤＩＦ８は、死活監視パケットをＢＢＲ１１に送信すると（Ｓ１０）、ＢＢＲ１１とＭＳ１５との無線リンクが切断されているため、ＢＢＲ１１は、送信先不明通知をＰＤＩＦ８に送信する（Ｓ１１）。ＰＤＩＦ８は、ＢＢＲ１１から送信先不明通知を受信することによって、当該ＭＳ１５とのセッションを解放する。ＰＤＩＦ８とＭＳ１５とのセッションが解放されると、ＩＰｓｅｃコネクションは、解放状態になる（Ｐ６Ｂ）。
【００２６】
次に、ＭＳ１５が電源をＯＦＦ（Ｐ７）にした場合、ＥＶＤＯシステムと同様に、ＭＳ１５は、切断通知をＰＤＩＦ８に送信する（Ｓ１２）。ＰＤＩＦ８は、ＭＳ１５から切断通知を受信することによって、当該ＭＳ１５とのセッションを解放する（Ｆ４）。ＰＤＩＦ８とＭＳ１５とのセッションが解放されることによって、ＢＢＲ１１とＭＳ１５との無線リンクは、解放状態となる（Ｐ７Ａ）。
【００２７】
このように、無線ＬＡＮシステムは、ページング機能を備えていないシステムであるため、移動端末が省電力モードの状態である場合に、死活監視制御を実行しているときに移動端末を活性化させることができない。また、ＰＤＩＦは、移動端末の無線リンクの接続状態を検知することもできない。したがって、無線ＬＡＮシステムでは、移動端末がアクティブの状態のみを活性の状態であると判断する。
【特許文献１】特開２００３−１６９３７９号公報
【発明の開示】
【発明が解決しようとする課題】
【００２８】
前述したとおり、セルラ無線システムに代表されるページング機能を備える無線システムのアクセスゲートウェイ装置（ＰＤＳＮ）は、移動端末の省電力モードの状態及び圏外の状態等、詳細な接続状態を監視することができるため、接続状態に応じた死活監視制御による適切なセッションの切断が可能である。
【００２９】
具体的に、セルラ無線システムでは、移動端末とＡＰ（アクセスポイント）、ＡＰとＰＣＦとの間の制御プロトコル、及びＰＣＦとＰＤＳＮとの間で制御プロトコルが定義されており、移動端末とＡＰとの間で無線リンクが確立された場合、確立された無線リンクの接続状態をＡＰとＰＣＦとの間で交換する。セルラ無線システムにおけるＰＣＦは、移動端末との無線リンクの接続状態を管理しており、移動端末とＡＰとの間で確立された無線リンクの接続状態をＰＤＳＮに通知する。移動端末が省電力モードの状態になった場合、移動端末とＡＰとの間の無線リンクは解放される。無線リンクの解放中に、ＰＣＦがＰＤＳＮから移動端末宛のパケットを受信した場合、移動端末がどのＡＰに接続されているか検索し、検索されたＡＰを経由して特定の移動端末の起動要求を含んだページング通知を送信するページング機能を用いることによって、移動端末とＡＰとの間の無線リンクを再び確立したあと、ＰＣＦは移動端末にパケットを転送する。このため、移動端末が省電力モードの状態の場合、死活監視制御を実行することによって、移動端末を活性化させることが可能である。
【００３０】
一方、無線ＬＡＮに代表されるページング機能を備えない無線システムにおけるアクセスゲートウェイ装置（ＰＤＩＦ）は、移動端末に対して着信通知を送信するページング機能が定義されていない。また、ＰＤＩＦは、移動端末が省電力モードの状態になることは想定されていない。また、無線ＬＡＮシステムにおけるＢＢＲは、移動端末との無線リンクの接続状態を管理せず、移動端末とＡＰとの間で確立された無線リンクの接続状態をＰＤＩＦに通知する機能がない。
【００３１】
このため、従来技術を使用したセルラ無線システムと無線ＬＡＮシステムとを併用した移動体通信システムにおいては、以下に説明する課題がある。
【００３２】
移動端末には、双方の無線通信システムを利用するための送信機及び受信機が搭載されるが、従来技術のＥＶＤＯシステムで説明したように、移動端末は、消費電力を抑えるために省電力モードの状態になることが想定される。特に、常にパケットの送受信を可能とする常時接続サービスを利用者に提供する場合、移動端末は、無線種別に関係なく省電力モードに状態を遷移することが想定される。この場合、前述したように、無線ＬＡＮシステムに設置されるアクセスゲートウェイ装置（ＰＤＩＦ）では、移動端末の省電力モードの状態及び圏外の状態を検知することができない。さらに、ページング機能によって移動端末を活性化させることもできないため、無線ＬＡＮ側のコネクションは、セッションを切断する頻度が増加する。このため、次回以降の接続にも遅延が生じるため、ＥＶＤＯシステムと同様に死活監視制御及びセッションの切断ができないという課題がある。
【課題を解決するための手段】
【００３３】
本発明の代表的な一例を示せば以下の通りである。すなわち、複数の無線システムに接続する移動端末と、前記移動端末との無線リンクの接続状態をアクセスポイントが管理する第１の無線システムを終端する第１の接続装置と、前記移動端末との無線リンクの接続状態をアクセスポイントが管理しない第２の無線システムを終端する第２の接続装置と、を備える移動体通信システムにおいて実行される前記移動端末の死活監視方法であって、前記第２の接続装置は、前記第１の接続装置から、前記第１の無線システムにおける前記移動端末の接続状態を取得し、前記取得した移動端末の接続状態に基づいて監視制御処理を変更する。
【発明の効果】
【００３４】
本発明の一形態によると、複数の無線システムを備える移動体通信システムにおいて、ページング機能を備えない無線システムを用いてページング機能が可能な移動体通信システムを構築することが可能になる。したがって、移動端末は、どの無線システムに接続しても省電力モード状態となることが可能であり、消費電力が削除できる。
【００３５】
また、アクセスゲートウェイ装置は、他の無線システムでの移動端末の接続状態を確認することが可能であり、適切に死活監視制御を行い、死活監視パケットを抑止することによって、無線リソース及び無駄なセッション管理リソースを削除することができる。
【００３６】
さらに、移動端末の接続先及び接続状態を集約して管理することが可能になるため、管理者が移動端末の状態を容易に把握することが可能となる。
【発明を実施するための最良の形態】
【００３７】
＜第１実施形態＞
本発明の第１の実施の形態について、図面を用いて説明する。
【００３８】
図１は、本発明の第１の実施の形態の移動体通信システムの構成図である。
【００３９】
移動体通信システムは、コアネットワーク１、アクセスネットワーク２（２Ａ、２Ｂ）、及びＭＳ１５を備える。
【００４０】
コアネットワーク１は、ＡＳ（Ａｐｐｌｉｃａｔｉｏｎ  Ｓｅｒｖｅｒ）３、ＨＡ（Ｈｏｍｅ  Ａｇｅｎｔ）４、ＨＳＳ（Ｈｏｍｅ  Ｓｕｂｓｃｒｉｂｅｒ  Ｓｅｒｖｅｒ）５、及びルータ６を備える。
【００４１】
ＡＳ３は、利用者に各種サービスを提供するアプリケーションサーバである。ＨＡ４は、ＭＳ１５の移動を管理し、代理で受信したＭＳ１５宛のパケットをＭＳ１５の移動先に転送する。ＨＳＳ５は、加入者情報及び移動端末に割り振られる移動端末の識別情報をデータベースに格納するホームサブスクライバサーバである。ルータ６は、コアネットワーク１とアクセスネットワーク２Ａ及び２Ｂとを接続するためのルータである。
【００４２】
アクセスネットワーク２Ａは、セルラ無線システムにおけるＥＶＤＯシステムであり、ＰＤＳＮ７、ＰＣＦ１０、及びＡＰ１２（１２Ａ、１２Ｂ）を備える。
【００４３】
ＰＤＳＮ７は、ＭＳ１５とのセッションをＰＰＰ（Ｐｏｉｎｔ  ｔｏ  Ｐｏｉｎｔ  Ｐｒｏｔｏｃｏｌ）で管理し、ＰＣＦとの間でＭＳ１５の無線リンクの状態を交換する。ＰＣＦ１０は、ＰＤＳＮ７と複数のアクセスポイントとの間で送受信されるデータを中継する基地局の制御装置である。ＡＰ１２は、ＭＳ１５と接続する基地局の無線中継機である。
【００４４】
アクセスネットワーク２Ｂは、無線ＬＡＮシステムにおけるＷｉＦｉシステムである。また、アクセスネットワーク２Ｂは、ＰＤＩＦ８、ＢＢＲ１１、及びＡＰ１３（１３Ａ、１３Ｂ）を備える。
【００４５】
ＰＤＩＦ８は、ＭＳ１５とのセッションをＩＰｓｅｃＳＡで管理する。ＢＢＲ１１は、ＰＤＩＦ８と複数のアクセスポイントとの間で送受信されるデータを中継するブロードバンドルータである。ＡＰ１３は、ＭＳ１５と接続する中継機である。
【００４６】
ＭＳ１５は、ＥＶＤＯシステム及びＷｉＦｉシステムとデータを送受信するインタフェース、ＰＤＳＮ７とのセッションを管理するＰＰＰ、ＰＤＩＦ８とのセッションを管理するＩＰｓｅｃ、及びアプリケーション等のサービスが提供される機能を備える。
【００４７】
なお、図１には、ＥＶＤＯでアクセス可能なエリア１６、及び、ＷｉＦｉでアクセス可能なエリア１７を示す。
【００４８】
図２は、本発明の第１の実施の形態のＥＶＤＯシステムのＰＤＳＮ７の構成を示すブロック図である。
【００４９】
ＰＤＳＮ７は、ＲＯＭ７０、ＣＰＵ７１、ＲＡＭ７２、Ｓｗｉｔｃｈ７４、及びＩＰ  Ｉｎｔｅｒｆａｃｅ７５（７５Ａ、７５Ｂ）を備える。なお、各構成は、バス７３によって接続される。
【００５０】
ＲＯＭ７０は、ＰＤＳＮ７で実行されるプログラム及びＰＤＳＮ７の動作を決定する設定ファイル等の情報を格納する。なお、ＲＯＭ７０は、ネットワーク上に接続される他の装置に備わるハードディスクでもよい。ＣＰＵ７１は、ＲＯＭ７０又はＲＡＭ７２に格納されているプログラムを実行する。ＲＡＭ７２は、実行されるプログラムを一時的に格納する。また、図を省略するが、ＲＡＭ７２は、セッション管理テーブル１００及び死活監視制御テーブル３００を保持する。Ｓｗｉｔｃｈ７４は、ＩＰ  Ｉｎｔｅｒｆａｃｅ７５に接続され、インタフェースを切り換える。ＩＰ  Ｉｎｔｅｒｆａｃｅ７５は、ＩＰパケットを送受信するインタフェースである。なお、図には二つのＩＰ  Ｉｎｔｅｒｆａｃｅ７５が示されているが、少なくとも一つ以上であれば複数備わってもよい。
【００５１】
図３は、本発明の第１の実施の形態のＰＤＳＮ７によって保持されるセッション管理テーブル１００である。
【００５２】
セッション管理テーブル１００は、端末管理識別子１０１、ＰＰＰセッション識別子１０２、端末ＩＰアドレス１０３、ＬｉｆｅＴｉｍｅ１０４、及び端末状態１０５を含む。
【００５３】
端末管理識別子１０１は、ＭＳ１５に割り振られる移動端末の識別子である。ＰＰＰセッション識別子は、ＭＳ１５との間で確立されるセッションの識別子である。端末ＩＰアドレス１０３は、ＭＳ１５がＥＶＤＯシステムに接続する時に用いられるＩＰアドレスである。ＬｉｆｅＴｉｍｅ１０４は、ＰＰＰで管理されるセッションが有効な期間である。端末状態１０５は、ＭＳ１５の接続状態である。なお、端末状態には、ａｃｔｉｖｅ及び省電力モードが設定される。端末状態がａｃｔｉｖｅとは、移動端末と基地局とが接続されており、データが送受信されている（アクティブ）状態である。また、端末状態が省電力モードとは、ＭＳ１５とＰＣＦ１０との無線リンクは解放されているが、ＰＤＳＮ７とＭＳ１５との間のＰＰＰを用いたセッションは切断されていない状態である。
【００５４】
図４は、本発明の第１の実施の形態のＷｉＦｉシステムのＰＤＩＦ８の構成図である。
【００５５】
ＰＤＩＦ８は、ＲＯＭ８０、ＣＰＵ８１、ＲＡＭ８２、Ｓｗｉｔｃｈ８４、及びＩＰ  Ｉｎｔｅｒｆａｃｅ８５（８５Ａ、８５Ｂ）を備える。なお、各構成要素は、バス８３によって接続される。
【００５６】
ＲＯＭ８０は、ＰＤＩＦ８で実行されるプログラム及びＰＤＩＦ８の動作を決定する設定ファイル等の情報を格納する。なお、ＲＯＭ８０は、ネットワーク上に接続される他の装置に備わるハードディスクでもよい。ＣＰＵ８１は、ＲＯＭ８０又はＲＡＭ８２に格納されているプログラムを実行する。ＲＡＭ８２は、実行されるプログラムを一時的に格納する。また、図を省略するが、ＲＡＭ８２は、セッション管理テーブル２００及び死活監視制御テーブル３００を含む。Ｓｗｉｔｃｈ８４は、ＩＰ  Ｉｎｔｅｒｆａｃｅ８５に接続され、インタフェースを切り換える。ＩＰ  Ｉｎｔｅｒｆａｃｅ８５は、ＩＰパケットを送受信するインタフェースである。なお、図には二つのＩＰ  Ｉｎｔｅｒｆａｃｅ８５が示されているが、少なくとも一つ以上であれば複数備わってもよい。
【００５７】
図５は、本発明の第１の実施の形態のＰＤＩＦ８に保持されるセッション管理テーブル２００である。
【００５８】
セッション管理テーブル２００は、端末管理識別子２０１、ＩＰｓｅｃＳＡ識別子２０２、端末ＩＰアドレス２０３、ＬｉｆｅＴｉｍｅ２０４、及び端末状態２０５を含む。
【００５９】
端末管理識別子２０１は、ＭＳ１５に割り振られる移動端末の識別子である。ＩＰｓｅｃＳＡ識別子２０２は、ＭＳ１５との間で確立されるセッションの識別子である。端末ＩＰアドレス２０３は、ＭＳ１５がＷｉＦｉシステムに接続する時に用いられるＩＰアドレスである。ＬｉｆｅＴｉｍｅ２０４は、ＩＰｓｅｃＳＡで管理されるセッションが有効な期間である。端末状態２０５は、ＭＳ１５の接続状態である。なお、ＰＤＩＦ８では、ＭＳ１５の無線リンクの状態を検知することが不可能であるため、端末状態２０５は、エントリがあれば常にＡｃｔｉｖｅが設定される。また、エントリがあるとは、ＭＳ１５がＰＤＩＦ８とのセッションが確立されている状態である。
【００６０】
次に、図６を用いて、ＰＤＳＮ７及びＰＤＩＦ８が起動する時にＲＯＭ８０から読み込まれる死活監視制御方式の設定内容を説明する。なお、死活監視制御方式は、管理者によって設定される。
【００６１】
図６は、本発明の第１の実施の形態の死活監視制御テーブル３００である。
【００６２】
死活監視制御テーブル３００は、問い合わせフラグ３０１、問い合わせ先ＩＰアドレス３０２、ＬｉｆｅＴｉｍｅ３０５、及び死活監視失敗時アクション情報３０６を含む。
【００６３】
問い合わせフラグ３０１は、死活監視制御が失敗した場合、他の無線システムの外部装置に対して、当該無線システムの外部装置と接続されている移動端末の接続状態を確認するか否かのフラグである。なお、他の無線システムの外部装置とは、例えば、本発明の第１の実施の形態のＰＤＩＦ８に対するＰＤＳＮ７である。
【００６４】
問い合わせ先ＩＰアドレス３０２は、問い合わせフラグ３０１が「ＯＮ」である場合に、問い合わせをする外部装置のＩＰアドレスである。なお、ＩＰアドレスは、問い合わせ可能な外部装置のＩＰアドレスを複数設定されてもよい。
【００６５】
ＬｉｆｅＴｉｍｅ３０５は、ＰＤＳＮ７又はＰＤＩＦ８が死活監視制御を行う時間間隔である。
【００６６】
死活監視失敗時アクション情報３０６は、他の外部装置から移動端末の接続状態を取得した時に行なわれる動作である。また、死活監視失敗時アクション情報３０６は、他システム端末状態３０７及びＡｃｔｉｏｎ３０８を含む。
【００６７】
他システム端末状態３０７は、取得した他の無線システムにおける移動端末の接続状態である。具体的には、Ａｃｔｉｖｅ、省電力、圏外、及び情報無し（電源ＯＦＦ）が設定される。Ａｃｔｉｖｅは、移動端末がアクティブの状態である。また、省電力は、移動端末が省電力モードの状態である。また、圏外は、移動端末が圏外の状態である。情報無し（電源ＯＦＦ）は、移動端末の電源がＯＦＦになっている状態である。
【００６８】
Ａｃｔｉｏｎ３０８は、他システム端末状態３０７に設定された状態に応じて、ＰＤＳＮ７及びＰＤＩＦ８が実行する動作の内容である。例えば、「即時解放」は、無線リンクを即時に解放する。また、「端末Ａｃｔｉｖｅ化＋死活監視」は、移動端末をアクティブの状態に活性化させた後に、再び死活監視制御を実行する。また、「死活監視周期延長」は、ＬｉｆｅＴｉｍｅ３０５に設定される時間を変更し、死活監視制御を行う周期を長くする。また、「セッション継続」は、移動端末とのセッションを維持する。
【００６９】
次に、図７を用いて、本発明の第１の実施の形態で実行される死活監視制御について説明する。
【００７０】
図７は、本発明の第１の実施の形態の死活監視制御を説明するシーケンス図である。
【００７１】
なお、本発明の第１の実施の形態では、無線ＬＡＮシステムのＰＤＩＦ８で行なわれる死活監視について説明する。
【００７２】
まず、図８に示されるように、ＭＳ１５のＥＶＤＯシステムのインタフェース及びＷｉＦｉシステムのインタフェースが圏外の状態の死活監視について説明する。
【００７３】
まず、ＰＤＩＦ８は、接続中のＭＳ１５に対してＩＫＥを用いた死活監視パケットを送信する（Ｓ１３）。この場合、ＭＳ１５は圏外であるため、死活監視パケットは届かず、死活監視パケットを用いた死活監視は失敗する。
【００７４】
次に、ＰＤＩＦ８は、ＭＳ１５から死活監視パケットに対する応答がない場合、死活監視制御テーブル３００の問い合わせ先ＩＰアドレス３０２を参照して、設定されているＩＰアドレスが示すＰＤＳＮ７に端末状態取得要求を送信する（Ｓ１４）。ＰＤＳＮ７は、セッション管理テーブル２００を参照して、ＰＤＩＦ８から要求を受けたＭＳ１５の端末状態を取得する（Ｆ６）。そして、ＰＤＳＮ７は、取得した端末状態をＰＤＩＦ８に送信する（Ｓ１５）。
【００７５】
次に、ＰＤＩＦ８は、受信した端末状態から死活監視制御テーブル３００を参照して、端末状態に基づいた動作を決定する。例えば、ＰＤＳにおけるＭＳ１５の状態は「圏外」であるため、死活監視制御テーブル３００のＡｃｔｉｏｎ３０８を参照し、ＰＤＩＦ８は、死活監視の周期を延長する。
【００７６】
次に、ＰＤＩＦ８は、延長させた周期の後、再び死活監視パケットをＭＳ１５に送信する（Ｓ１６）。ＭＳ１５がアクティブの状態に遷移している場合、ＭＳ１５は、受信した死活監視パケットに対して、応答パケットをＰＤＩＦ８に送信する（Ｓ１７）。
【００７７】
次に、図９に示されるように、ＥＶＤＯシステムがアクティブの状態及びＷｉＦｉシステムが圏外の状態の死活監視について説明する。
【００７８】
ＰＤＳＮ８がアクティブの状態で、ＰＤＩＦ７が圏外の状態である場合、図７のＳ１３〜Ｓ１５の処理は同じように実行される。しかし、ＥＶＤＯシステムがアクティブの状態であるため、同じように死活監視制御テーブル３００を参照すると、「即時解放」するように設定されている。したがって、ＰＤＩＦ８は、ＭＳ１５から死活監視パケットに対する応答がなくても、ＭＳ１５とのセッションを切断する。
【００７９】
次に、図１０に示されるように、ＭＳ１５のＥＶＤＯシステムのインタフェース及びＷｉＦｉシステムのインタフェースが省電力モードの状態の死活監視について説明する。
【００８０】
図７で、ＭＳ１５が省電力モードの状態である場合、まず、ＰＤＩＦ８は、ＩＫＥを用いた死活監視パケットをＭＳ１５に送信する（Ｓ１８）。この場合、圏外の状態の時と同じように、死活監視パケットはＭＳ１５に届かず死活監視は失敗する。
【００８１】
次に、ＰＤＩＦ８は、ＭＳ１５から死活監視パケットに対する応答がない場合、死活監視制御テーブル３００の問い合わせ先ＩＰアドレス３０２を参照して、設定されているＩＰアドレスが示すＰＤＳＮ７に端末状態取得要求を送信する（Ｓ１９）。ＰＤＳＮ７は、セッション管理テーブル２００を参照し、ＰＤＩＦ８から要求を受けたＭＳ１５の端末状態を取得する（Ｆ６）。そして、ＰＤＳＮ７は、取得した端末状態をＰＤＩＦ８に送信する（Ｓ２０）。
【００８２】
次に、ＰＤＩＦ８は、受信した端末状態から死活監視制御テーブル３００を参照して、端末状態に基づいた動作を決定する。例えば、ＰＤＳＮ上でのＭＳ１５の状態は「省電力モード」であるため、死活監視制御テーブル３００のＡｃｔｉｏｎ３０８を参照し、ＰＤＩＦ８は、ＭＳ１５をアクティブの状態に活性化し、再び死活監視を行う。
【００８３】
次に、ＰＤＩＦ８は、Ｓ２０でＰＤＳＮ７からＭＳ１５の端末状態を受信する時、ＭＳ１５がＰＤＳＮ７上で使用するＩＰアドレスを取得する。送信先アドレスに取得したＩＰアドレスを設定し、ＰＤＩＦ８自身のＩＰアドレスを送信元アドレスとした省電力解除用ＩＰパケットを、ルータ６及びＨＡ４を経由してＰＤＳＮ７に送信する（Ｓ２１Ａ）。ＰＤＳＮ７は、送信された省電力解除用ＩＰパケットをＰＣＦ１０に転送する（Ｓ２１Ｂ）。
【００８４】
ＰＣＦ１０は、省電力解除用ＩＰパケットを受信すると、ページング通知をＭＳ１５に送信する（Ｓ２２）。ＭＳ１５は、ページング通知を受信した後、無線ＬＡＮ側のインタフェースを活性化させる。そして、省電力モードの状態からアクティブの状態に遷移したＭＳ１５は、応答パケットをＰＤＩＦ８に送信する（Ｓ２３）。
【００８５】
次に、ＰＤＩＦ８は、ＩＫＥを用いた死活監視パケットを再びＭＳ１５に送信する（Ｓ２４）。ＭＳ１５は、アクティブの状態に遷移しているため、応答パケットをＰＤＩＦ８に送信する（Ｓ２５）。
【００８６】
ここで、ページング機能を備えない無線ＬＡＮシステムにおいて、省電力モードの状態の移動端末をアクティブの状態に活性化させる方法について説明する。
【００８７】
移動端末を活性化させる方法として、従来技術を用いる方法がある。具体的には、ページング機能を有する他のシステムは、ページングを通知するパケットに活性化させたい移動端末のインタフェース情報を含めて送信する方法である。しかし、本発明の第１の実施の形態では、ＰＤＳＮ７は、ページングを通知するパケットに特別な情報を含まず、通常のＩＰパケットを転送することによってページング機能を実現する。
【００８８】
このように、ＰＤＩＦ８がＭＳ１５を活性化させてから死活監視を行うことができるため、無駄なセッションの解放を避けることができる。
【００８９】
次に、図１１を用いて、死活監視が失敗した場合に、即時にセッションを解放せず、管理者によって設定された死活監視失敗時のアクションに従って、死活監視制御を変更する処理について説明する。
【００９０】
図１１は、本発明の第１の実施の形態の死活監視制御変更の処理フロー図である。
【００９１】
死活監視制御変更処理は、死活監視制御が行われている実行される処理である。
【００９２】
まず、ＰＤＩＦ８は、セッション管理テーブル２００のＬｉｆｅＴｉｍｅ２０４を参照し、セッションに設定される死活監視タイマが、ＬｉｆｅＴｉｍｅ２０４の時間を経過しているか否かを判定する（５００）。死活監視タイマがＬｉｆｅＴｉｍｅ２０４に設定される時間を経過している場合は、次のステップに進む。一方、死活監視タイマがＬｉｆｅＴｉｍｅ２０４の時間を経過していない場合は、次のセッションの死活監視タイマを確認する。
【００９３】
次に、ＰＤＩＦ８は、ＭＳ１５に死活監視パケットを送信する（５０１）。そして、ＰＤＩＦ８は、ＭＳ１５から死活監視パケットに対する応答を受信したか否かを判定する（５０２）。ＭＳ１５から応答を受信した場合は、ステップ５０３に進む。一方、ＭＳ１５から応答を受信できなかった場合は、ステップ５０２に進む。
【００９４】
次に、ＰＤＩＦ８は、死活監視タイマの値をセッション管理テーブル２００に設定されるＬｉｆｅＴｉｍｅ２０４の値に設定する（５０３）。次に、ＰＤＩＦ８は、死活監視タイマを再びスタートさせ、次のセッションの死活監視タイマを確認する（５０４）。
【００９５】
次に、ＰＤＩＦ８は、死活監視パケットの送信後、死活監視パケットの再送回数が最大再送回数に到達したか否かを判定する（５０５）。最大再送回数に達していない場合、ＰＤＩＦ８は、ステップ５０１で再び死活監視パケットを送信する。一方、最大再送回数に達している場合、ＰＤＩＦ８は、ステップ５０６に進む。
【００９６】
次に、ＰＤＩＦ８は、死活監視制御の処理が失敗したと判定し、死活監視制御テーブル３００の問い合わせフラグ３０１を確認する（５０６）。問い合わせフラグがＯＦＦに設定されている場合、ＰＤＩＦ８は、ステップ５１０に進み、ＭＳ１５とのセッションを解放し（５１０）、処理を終了する。一方、問い合わせフラグがＯＮに設定されている場合、ＰＤＩＦ８は、ステップ５０７に進む。
【００９７】
次に、ＰＤＩＦ８は、死活監視制御テーブル３００の問い合わせ先ＩＰアドレス３０２及びセッション管理テーブル２００の端末管理識別子２０１を死活監視制御テーブル３００及びセッションテーブル２００から抽出する。そして、ＰＤＩＦ８は、端末管理識別子２０１を含む端末情報取得要求を、問い合わせ先ＩＰアドレス３０２が示すアクセスゲートウェイ（例えば、ＰＤＳＮ７）に送信する（５０７）。
【００９８】
次に、ＰＤＩＦ８は、ＰＤＳＮ７からの応答によって端末状態情報を取得できたか否かを判定する（５０８）。端末状態情報を取得できた場合は、ステップ５１１に進む。一方、端末状態情報を取得できなかった場合は、ステップ５０９に進む。
【００９９】
次に、ＰＤＩＦ８は、他に問い合わせが可能なアクセスゲートウェイが死活監視制御テーブル３００に登録されているか否か確認する（５０９）。他に問い合わせ先のＩＰアドレスが登録されている場合、ＰＤＩＦ８は、ステップ５０７で当該他の問い合わせ先のＩＰアドレスの示すアクセスゲートウェイ（例えば、ＰＤＳＮ）に対して端末状態取得要求を送信する。一方、他に問い合わせ先のＩＰアドレスが登録されていない場合、ＰＤＩＦ８は、ステップ５１０に進み、ＭＳ１５とのセッションを解放して処理を終了する。
【０１００】
ステップ５１１では、ＰＤＩＦ８は、ＰＤＳＮ７から取得した端末状態情報に基づいて死活監視制御テーブル３００の他システム端末状態３０７に対応するＡｃｔｉｏｎ３０８を確認する。Ａｃｔｉｏｎ３０８に設定される端末状態がが「即時解放」である場合、ＰＤＩＦ８は、ステップ５１０に進み、ＭＳ１５とのセッションを解放して処理を終了する。なお、Ｌｉｆｅ  Ｔｉｍｅ２０４を設定することによって、ＰＤＩＦ８は、確立されているセッションを維持する。Ａｃｔｉｏｎ３０８が「セッション継続」である場合、ＰＤＩＦ８は、ステップ５０３に進み、死活監視タイマの値をセッション管理テーブル２００に設定されるＬｉｆｅＴｉｍｅ２０４の値に設定する。Ａｃｔｉｏｎ３０８が「死活監視周期延長」である場合、ステップ５１２に進み、死活監視タイマの値をセッション管理テーブル２００に設定されるＬｉｆｅＴｉｍｅ２０４の２倍の値に設定する。なお、２倍のＬｉｆｅ  Ｔｉｍｅ２０４を設定することによって、ＰＤＩＦは、セッションを切断せずに、死活監視を継続する。次に、ステップ５０４で、２倍に設定された死活監視タイマを再びスタートさせ、次のセッションの監視タイマを確認する。Ａｃｔｉｏｎ３０８が「端末Ａｃｔｉｖｅ化＋死活監視」である場合、ステップ５１３に進み、移動端末アクティブ化処理を実行する。なお、移動端末をアクティブの状態に遷移させることによって、ＰＤＩＦ８は、再び死活監視を実行できる。移動端末アクティブ化処理については、後述する図１２で詳細を説明する。
【０１０１】
図１２は、本発明の第１の実施の形態の移動端末アクティブ化の処理フロー図である。
【０１０２】
まず、ＰＤＩＦ８は、端末情報取得要求に対する応答から、ＭＳ１５のＩＰアドレスを抽出する（５２０）。次に、ＰＤＩＦ８は、抽出したＭＳ１５のＩＰアドレスを送信先とし、ＰＤＩＦ８自身のＩＰアドレスを送信元として設定したＩＰパケットをＭＳ１５に送信する（５２１）この場合、図７で説明したように、ページング機能を備えるＰＤＳＮ７を経由してＩＰパケットがＭＳ１５に送信されるため、ＭＳ１５の状態が省電力モードの状態である場合、ＭＳ１５は、アクティブの状態に遷移する。
【０１０３】
次に、ＰＤＩＦ８は、ＩＰパケットを送信した後、死活監視パケットを再びＭＳ１５に送信する（５２３）。次に、ＰＤＩＦ８は、ＭＳ１５から死活監視パケットに対する応答を受信したか否かを判定する（５２４）。ＭＳ１５から死活監視パケットに対する応答を受信した場合、ＰＤＩＦ８は、図１１のステップ５０３に進み、死活監視タイマの値をセッション管理テーブル２００に設定されるＬｉｆｅＴｉｍｅ２０４の値に設定する。一方、死活監視パケットに対する応答を受信していない場合、ステップ５２５に進む。
【０１０４】
次に、ＰＤＩＦ８は、死活監視パケットの再送回数が最大再送回数に到達しているか否かを判定する（５２５）。死活監視パケットの再送回数が最大再送回数に到達していない場合、ＰＤＩＦ８は、ステップ５２１に進み、ＰＤＳＮ７を経由するＩＰパケットを再びＭＳ１５に送信する。一方、死活監視パケットの再送回数が最大再送回数に到達している場合、ＰＤＩＦ８は、ステップ５２６に進み、ＭＳ１５とのセッションを解放して処理を終了する。
【０１０５】
次に、図１３を用いてＰＤＳＮ７がＰＤＩＦ８から端末状態取得要求を受信した時の処理について説明する。
【０１０６】
図１３は、本発明の第１の実施の形態のＰＤＳＮ７の応答処理の処理フロー図である。
【０１０７】
まず、ＰＤＳＮ７は、ＰＤＩＦ８から端末状態取得要求を受信する（６００）。次に、ＰＤＳＮ７は、端末状態取得要求に含まれる端末管理識別子を抽出する（６０１）。
【０１０８】
次に、ＰＤＳＮ７は、セッション管理テーブル１００を参照して、抽出した端末管理識別子がセッション管理テーブル１００のレコードに含まれているか検索する（６０２）。端末管理識別子がセッション管理テーブル１００のレコードに含まれていない場合、移動端末のＩＰアドレス情報を全て「０」に設定し、移動端末の状態を「情報無し」として応答情報に設定して（６０４）、ステップ６０６に進む。一方、端末管理識別子がセッション管理テーブル１００のレコードに含まれている場合、ＰＤＩＦ８から要求された端末識別子とセッション管理テーブル１００のレコードとが一致するか否かを判定する（６０３）。要求された端末識別子とセッション管理テーブル１００のレコードとが一致しない場合、ＰＤＳＮ７は、ステップ６０２に進み、次のレコードを検索する。一方、要求された端末識別子とセッション管理テーブル１００のレコードとが一致する場合、ＰＤＳＮ７は、ステップ６０５に進む。
【０１０９】
次に、ＰＤＳＮ７は、一致したレコードに格納されている端末ＩＰアドレス１０３及び端末状態１０５を抽出し、抽出された情報を応答情報として設定する（６０５）。
【０１１０】
次に、ＰＤＳＮ７は、設定された応答情報をＰＤＩＦ８に送信して処理を終了する（６０６）。
【０１１１】
なお、本発明の第１の実施の形態では、複数の無線システムを備える移動体通信システムにおいて、ページング機能を備える無線通信システムとしてＥＶＤＯシステムを用いて説明し、ページング機能を備えない無線通信システムとしてＷｉＦｉシステムを用いて説明しているが、その他の無線システムを用いて本発明の移動体通信システムを実現してもよい。
【０１１２】
＜第２実施形態＞
本発明の第１の実施の形態では、各アクセスゲートウェイ間で移動端末の接続状態を交換していた。一方、本発明の第２の実施の形態では、各アクセスゲートウェイが移動端末の接続状態をセッション管理サーバに送信し、各アクセスゲートウェイは、移動端末の接続状態をセッション管理サーバと交換する。
【０１１３】
具体的に、本発明の第２の実施の形態では、セッション管理サーバとしてＨＳＳを用いる。ＨＳＳは、加入者情報だけではなく、移動端末の接続状態も管理する。したがって、以降の説明では、ＨＳＳをセッション管理サーバとして説明する。
【０１１４】
図１４は、本発明の第２の実施の形態のＨＳＳ５の構成図である。
【０１１５】
ＨＳＳ５は、ＲＯＭ５０、ＣＰＵ５１、ＲＡＭ５２、Ｓｗｉｔｃｈ５４、及びＩＰ  Ｉｎｔｅｒｆａｃｅ５５（５５Ａ、５５Ｂ）を備える。なお、各構成は、バス５３によって接続される。
【０１１６】
ＲＯＭ５０は、ＨＳＳ５で実行されるプログラム及びＨＳＳ５の動作を決定する管理テーブル等の情報を格納する。なお、ＲＯＭ８０は、ネットワーク上に接続される他の装置に備わるハードディスクでもよい。ＣＰＵ５１は、ＲＯＭ５０又はＲＡＭ５２に格納されているプログラムを実行する。ＲＡＭ５２は、実行されるプログラムを一時的に格納する。また、ＲＡＭ５２は、セッション管理テーブル４００を含む（図示省略）。Ｓｗｉｔｃｈ５４は、ＩＰ  Ｉｎｔｅｒｆａｃｅ５５に接続され、インタフェースを切り換える。ＩＰ  Ｉｎｔｅｒｆａｃｅ５５は、ＩＰパケットを送受信するインタフェースである。なお、図には二つのＩＰ  Ｉｎｔｅｒｆａｃｅ５５が示されているが、少なくとも一つ以上であれば複数備わってもよい。
【０１１７】
図１６は、本発明の第２の実施の形態のセッション管理テーブル４００である。
【０１１８】
セッション管理テーブル４００は、端末管理識別子４０１、接続先リスト情報４０２、氏名４０３、及び契約情報を含む。
【０１１９】
端末管理識別子４０１は、ＭＳ１５に割り振られる移動端末の識別子である。接続先リスト情報４０２は、システム種別４０６、ＧＷ  ＩＰアドレス４０７、移動端末ＩＰアドレス４０８、ＬｉｆｅＴｉｍｅ４０９、及び無線リンク状態４１０を含む。システム種別３０６は、ＭＳ１５が接続中の無線システムの種類である。ＧＷ  ＩＰアドレス４０７は、無線システムのアクセスゲートウェイのＩＰアドレスである。移動端末ＩＰアドレスは、ＭＳ１５が無線システムに接続する時に使用されるＩＰアドレスである。ＬｉｆｅＴｉｍｅ４０９は、確立されたセッションが有効な期間である。無線リンク状態４１０は、ＭＳ１５の接続状態である。氏名４０３は、移動端末を所持する加入者の氏名である。契約情報４０４は、移動端末に関する加入者の契約情報である。
【０１２０】
このように、複数の無線システムを利用可能な移動端末の接続先及び移動端末の状態がＨＳＳ５で一元的に管理されるため、管理者は、移動端末の状態を容易に把握することができる。
【０１２１】
次に、図１５を用いて、本発明の第２の実施の形態においてＰＤＳＮ７及びＰＤＩＦ８に保持される死活監視制御テーブル３００について説明する。
【０１２２】
図１５は、本発明の第２の実施の形態の死活監視制御テーブル３００である。
【０１２３】
本発明の第１の実施の形態と異なるのは、端末状態通知フラグ３０３及び通知先ＩＰアドレス３０４を含む点である。
【０１２４】
端末状態通知フラグ３０３は、ＭＳ１５の接続状態をＨＳＳ５に通知するか否かを判定するフラグである。通知先ＩＰアドレスは、ＭＳ１５の接続状態を通知するＨＳＳ５のＩＰアドレスである。
【０１２５】
次に、図１７を用いてセッション管理テーブル４００の更新方法、及び、死活監視失敗時のＭＳ１５の接続状態を交換する方法に関して説明する。
【０１２６】
図１７は、本発明の第２の実施の形態の死活監視制御を説明するシーケンス図である。
【０１２７】
まず、ＭＳ１５の電源がＯＮになった場合（Ｐ１２）、ＭＳ１５は、ＰＤＳＮ７との間にＰＰＰを用いてセッションを確立する（Ｓ２６）。この時、新規にＭＳ１５が接続されることによって、ＰＤＳＮ７は、セッション管理テーブル１００を更新する。そして、ＰＤＳＮ７は、接続状態更新通知をＨＳＳ５に送信する（Ｓ２７）。次に、ＨＳＳ５は、ＰＤＳＮ７から接続状態更新通知を受信した後、セッション管理テーブル４００を更新する（Ｆ１０）。同様に、ＭＳ１５は、ＰＤＩＦ８との間でＩＰｓｅｃを用いてセッションを確立する（Ｓ２８）。この時、新規にＭＳ１５が接続されることによって、ＰＤＩＦ８は、セッション管理テーブル２００を更新する。そして、ＰＤＩＦ８は、接続状態更新通知をＨＳＳ５に送信する（Ｓ２９）。ＨＳＳ５は、ＰＤＩＦ８から接続状態更新通知を受信した後、セッション管理テーブル４００を更新する（Ｆ１０）。
【０１２８】
次に、図８に示されるように、ＭＳ１５のＥＶＤＯシステムのインタフェース及びＷｉＦｉシステムのインタフェースが圏外の状態に遷移した場合、ＥＶＤＯシステムは、前述したようにＰＣＦ１０からのページング通知を送信することによって、ＭＳ１５の無線リンクの状態を検知することが可能である。そして、ＰＤＳＮ７は、検知された無線リンクの状態に基づいて、接続状態更新通知をＨＳＳに送信する（Ｓ３０）。
【０１２９】
一方、ＷｉＦｉシステムは、ＭＳ１５が圏外に移動したことを検知できないため、ＰＤＩＦ８は、死活監視周期を過ぎると、ＩＫＥを用いて死活監視パケットをＭＳ１５に送信する（Ｓ３１）。しかし、死活監視パケットはＭＳ１５に到達せず、死活監視制御は失敗する。この時、ＰＤＩＦ８は、即時にセッションを解放せず、管理者によって設定される死活監視制御テーブル３００の死活監視失敗時のアクションに基づいて、監視制御処理を実行する（Ｆ１３）。
【０１３０】
次に、ＰＤＩＦ８は、Ｆ１３で死活監視制御を変更することによって「死活監視周期延長」を選択した場合、接続状態要求をＨＳＳ５に送信する（Ｓ３３）。そして、ＰＤＩＦ８は、ＨＳＳ５から他のシステムにおけるＭＳ１５の接続状態を含んだ応答を受信する（Ｓ３４）。
【０１３１】
次に、ＰＤＩＦ８は、死活監視周期の後、死活監視パケットを再びＭＳ１５に送信する（Ｓ３５）。ＭＳ１５がアクティブの状態に遷移している場合、ＰＤＩＦ８は、ＭＳ１５から応答パケットを受信することができるため（Ｓ３６）、無駄なセッションの解放を避けることができる。
【０１３２】
次に、図１８を用いて、ＰＤＳＮ７がＨＳＳ５に対して接続状態の更新を通知する処理について説明する。
【０１３３】
図１８は、本発明の第２の実施の形態の接続状態更新通知の処理フロー図である。
【０１３４】
まず、ＰＤＳＮ７は、ＭＳ１５の接続状態をセッション管理テーブル（１００、２００）に設定する（７００）。
【０１３５】
次に、ＰＤＳＮ７は、死活監視制御テーブル３００の端末状態通知フラグ３０３を確認する（７０１）。フラグがＯＦＦである場合、ＰＤＳＮ７は、ＭＳ１５の接続状態をＨＳＳ５に通知せずに処理を終了する。一方、フラグがＯＮである場合、ＰＤＳＮ７は、死活監視制御テーブル３００から通知先ＩＰアドレス３０４を抽出する（７０２）。
【０１３６】
次に、ＰＤＳＮ７は、セッション管理テーブル（１００、２００）からＭＳ１５の端末管理識別子、端末ＩＰアドレス、及び端末状態を抽出する（７０３）。そして、ＰＤＳＮ７は、システムパラメータから自身のＩＰアドレス及び自身の無線システムの種別を抽出する（７０４）。
【０１３７】
次に、ＰＤＳＮ７は、抽出した情報に基づいて接続状態更新メッセージを作成する（７０５）。そして、ＰＤＳＮ７は、作成した接続状態更新メッセージをＨＳＳ５に送信して（７０６）、処理を終了する。なお、ＰＤＳＮ７を用いて接続状態更新通知の処理について説明したが、ＰＤＩＦ８も同じである。
【０１３８】
次に、図１９を用いて、ＨＳＳ５が接続状態更新メッセージを受信した時の処理について説明する。
【０１３９】
図１９は、本発明の第２の実施の形態の接続状態更新通知受信の処理フロー図である。
【０１４０】
まず、ＨＳＳ５は、ＰＤＳＮ７又はＰＤＩＦ８から接続状態更新メッセージを受信する（８００）。次に、ＨＳＳ５は、受信した接続状態更新メッセージから端末管理識別子を抽出する（８０１）。
【０１４１】
次に、ＨＳＳ５は、抽出した端末管理識別子を用いて、セッション管理テーブル４００に同一の識別子が存在するか検索する（８０２）。抽出した端末管理識別子が、セッション管理テーブル４００のレコードに含まれる場合、ＨＳＳ５は、処理を終了する。一方、抽出した端末管理識別子が、セッション管理テーブル４００のレコードに含まれない場合、ＨＳＳ５は、ステップ８０３に進む。
【０１４２】
次に、ＨＳＳ５は、受信した接続状態更新メッセージから無線システムの種別を抽出する（８０３）。そして、ＨＳＳ５は、抽出した無線システムの種別が、ステップ８０２で該当した端末管理識別子のレコード内の接続先リスト情報に存在するか否かを判定する（８０４）。接続先リスト情報に存在しない場合、ＨＳＳ５は、ステップ８０５に進む。  ステップ８０４で、抽出した無線システムの種別が接続先リスト情報に存在しない場合、ＨＳＳ５は、セッション管理テーブル４００に新規のレコードを追加する（８０５）。そして、受信した接続状態更新メッセージに含まれる各種情報を新規に追加したレコードに設定し（８０６）、処理を終了する。
【０１４３】
一方、接続先リスト情報に存在する場合、ＨＳＳ５は、ステップ８０７に進む。ステップ８０４で、接続先リスト情報に抽出した無線システムの種別が存在する場合、ＨＳＳ５は、受信した接続状態更新メッセージから端末状態を抽出する（８０７）。
【０１４４】
次に、ＨＳＳ５は、抽出した端末状態に基づいてセッションが解放されているか否かを判定する（８０８）。セッションが解放されている場合、ＨＳＳ５は、該当するレコードを削除し（８０９）、処理を終了する。一方、セッションが解放されていない場合、ＨＳＳ５は、ステップ８０６に進み、受信した接続状態更新メッセージに含まれる各種情報を該当するレコードに設定して処理を終了する。
【０１４５】
次に、図２０を用いて本発明の第２の実施の形態においてＰＤＩＦ８が死活監視を失敗した場合に、管理者によって設定される死活監視失敗時のアクションにしたがって死活監視制御を変更する処理について説明する。
【０１４６】
図２０は、本発明の第２の実施の形態の死活監視制御変更の処理フロー図である。
【０１４７】
まず、ＰＤＩＦ８は、セッション管理テーブル２００のＬｉｆｅＴｉｍｅ２０４を参照し、セッションの死活監視タイマがＬｉｆｅＴｉｍｅ２０４に設定されている時間を経過しているか否かを判定する（９００）。死活監視タイマがＬｉｆｅＴｉｍｅ２０４の時間を経過している場合、ＰＤＩＦ８は、ステップ９０１に進む。一方、死活監視タイマがＬｉｆｅＴｉｍｅ２０４の時間を経過していない場合、ＰＤＩＦ８は、次のセッションの死活監視タイマを確認する。
【０１４８】
次に、ＰＤＩＦ８は、ＭＳ１５に死活監視パケットを送信する（９０１）。そして、ＰＤＩＦ８は、ＭＳ１５から死活監視パケットに対する応答を受信したか否かを判定する（９０２）。ＭＳ１５から応答を受信した場合、ＰＤＩＦ８は、ステップ９０３に進む。一方、ＭＳ１５から応答を受信できなかった場合、ＰＤＩＦ８は、ステップ５０２に進む。
【０１４９】
次に、ステップ９０３では、死活監視タイマの値をセッション管理テーブル２００のＬｉｆｅＴｉｍｅ２０４の値に設定する（９０３）。次に、ＰＤＩＦ８は、死活監視タイマを再びスタートさせ、次のセッションの監視タイマを確認する（５０４）。
【０１５０】
次に、ＰＤＩＦ８は、死活監視パケットの送信後、死活監視パケットの再送回数が最大再送回数に到達したか否かを判定する（９０５）。最大再送回数に到達していない場合、ＰＤＩＦ８は、ステップ９０１で再び死活監視パケットを送信する。一方、最大再送回数に到達している場合、ＰＤＩＦ８は、ステップ９０６に進む。
【０１５１】
次に、ＰＤＩＦ８は、死活監視制御の処理が失敗したと判定し、死活監視制御テーブル３００の問い合わせフラグ３０１を確認する（９０６）。問い合わせフラグがＯＦＦに設定されている場合、ＰＤＩＦ８は、ステップ５１０に進み、ＭＳ１５とのセッションを解放（９１０）し、処理を終了する。一方、問い合わせフラグがＯＮに設定されている場合、ＰＤＩＦ８は、ステップ９０７に進む。
【０１５２】
次に、ＰＤＩＦ８は、死活監視制御テーブル３００の問い合わせ先ＩＰアドレス３０２、セッション管理テーブル２００の端末管理識別子２０１、ＰＤＩＦ８自身のＩＰアドレス、及びＰＤＩＦ８自身の無線システムの種別を抽出する。そして、ＰＤＩＦ８は、抽出した各種情報を含む端末情報取得要求を、ＨＳＳ５に送信する（９０７）。
【０１５３】
次に、ＰＤＩＦ８は、ＨＳＳ５から端末情報取得要求に対する応答メッセージの受信を待つ（９０８）。そして、ＰＤＩＦ８は、ＨＳＳ５から端末状態取得要求を受信した後、他のシステムによって端末状態情報が取得されたか否かを判定する（９０９）。端末状態情報が取得されなかった場合、ＰＤＩＦ８は、ステップ９１０に進み、ＭＳ１５とのセッションを解放し、処理を終了する。一方、端末状態情報が取得された場合、ＰＤＩＦ８は、図１１のステップ５１１に進み、取得された端末状態情報に対応するアクションを確認する。以降の処理については、本発明の第１の実施の形態の図１１と同様の処理であるため省略する。
【０１５４】
次に、図２１を用いて、ＨＳＳ５がＰＤＩＦ８から端末状態取得要求を受信した時の処理について説明する。
【０１５５】
図２１は、本発明の第２の実施の形態のＨＳＳ５の応答の処理フロー図である。
【０１５６】
まず、ＨＳＳ５は、ＰＤＩＦ８から端末状態取得要求を受信する（１０００）。次に、ＨＳＳ５は、ＰＤＩＦ８に送信する応答メッセージを作成する（１００１）この時、ＨＳＳ５は応答メッセージには接続先無しであることを情報として格納しておく。
【０１５７】
次に、ＨＳＳ５は、端末状態取得要求から端末管理識別子を抽出する（１００２）。そして、ＨＳＳ５は、抽出した端末管理識別子を用いて、セッション管理テーブル４００のレコードを参照し、一致する端末管理識別子が存在するか否かを判定する（１００３）。一致する端末管理識別子が存在しない場合、ＨＳＳ５は、接続先の情報無しの情報が格納された応答メッセージをＰＤＩＦ８に送信して（１００４）、処理を終了する。一方、一致する端末管理識別子が存在する場合、ＨＳＳ５は、端末状態取得要求から無線システムの種別及びアクセスゲートウェイのＩＰアドレスを抽出する（１００５）。
【０１５８】
次に、ＨＳＳ５は、セッション管理テーブル４００の接続先リスト情報４０２に、検索するレコードが存在するか否かを判定する（１００６）。検索するレコードが存在しない場合は、ステップ１００４に進み、応答メッセージをＰＤＩＦ８に送信し、処理を終了する。検索するレコードが存在する場合は、ステップ１００７に進む。
【０１５９】
次に、ＨＳＳ５は、ステップ１００５で抽出した無線システムの種別及びアクセスゲートウェイのＩＰアドレスを用いて、セッション管理テーブル４００の接続先リスト情報４０２のレコードと一致するか否かを判定する（１００７）。レコードと一致しない場合、ＨＳＳ５は、ステップ１００６に進み、次のレコードの接続先リスト情報を検索する。一方、レコードと一致する場合、ＨＳＳ５は、ステップ１００８に進む。
【０１６０】
次に、ＨＳＳ５は、ステップ１００７で一致したレコードの内容を応答メッセージの接続先リストに追加して（１００８）、ステップ１００６に進み、次のレコードの接続先リスト情報を検索する。
【０１６１】
なお、本発明の第２の実施の形態は、セッション管理サーバをＨＳＳとして説明したが、他の装置（例えば、ＨＡ４）に同様の機能を実現してもよい。また、セッション管理サーバのみの機能を備える装置によって実現してもよい。
【図面の簡単な説明】
【０１６２】
【図１】本発明の第１の実施の形態の移動体通信システムの構成図である。
【図２】本発明の第１の実施の形態のＥＶＤＯシステムのＰＤＳＮの構成図である。
【図３】本発明の第１の実施の形態のＰＤＳＮが保持するセッション管理テーブルである。
【図４】本発明の第１の実施の形態のＷｉＦｉシステムのＰＤＩＦの構成図である。
【図５】本発明の第１の実施の形態のＰＤＩＦが保持するセッション管理テーブルである。
【図６】本発明の第１の実施の形態の死活監視制御テーブルである。
【図７】本発明の第１の実施の形態の死活監視制御を説明するシーケンス図である。
【図８】本発明の第１の実施の形態においてＭＳ１５がＥＶＤＯシステム及びＷｉＦｉシステムで圏外の状態の移動体通信システムの構成図である。
【図９】本発明の第１の実施の形態においてＭＳ１５がＥＶＤＯシステムでアクティブの状態及びＷｉＦｉシステムで圏外の状態の移動体通信システムの構成図である。
【図１０】本発明の第１の実施の形態においてＭＳ１５がＥＶＤＯシステム及びＷｉＦｉシステムで省電力モードの状態の移動体通信システムの構成図である。
【図１１】本発明の第１の実施の形態の死活監視制御変更の処理フロー図である。
【図１２】本発明の第１の実施の形態の移動端末アクティブ化の処理フロー図である。
【図１３】本発明の第１の実施の形態のＰＤＳＮ７の応答の処理のフロー図である。
【図１４】本発明の第２の実施の形態のＨＳＳの構成図である。
【図１５】本発明の第２の実施の形態の死活監視制御テーブルである。
【図１６】本発明の第２の実施の形態のセッション管理テーブルである。
【図１７】本発明の第２の実施の形態の死活監視制御を説明するシーケンス図である。
【図１８】本発明の第２の実施の形態の接続状態更新通知の処理フロー図である。
【図１９】本発明の第２の実施の形態の接続状態更新通知受信の処理フロー図である。
【図２０】本発明の第２の実施の形態の死活監視制御変更の処理フロー図である。
【図２１】本発明の第２の実施の形態のＨＳＳの応答の処理フロー図である。
【図２２】従来技術のセルラ無線システムでの死活監視手順を説明したシーケンス図である。
【図２３】従来技術の無線ＬＡＮシステムでの死活監視手順を説明したシーケンス図である。
【符号の説明】
【０１６３】
１  コアネットワーク
２  アクセスネットワーク
３  アプリケーションサーバ
４  ホームエージェント
５  ホームサブスクライバサーバ（セッション管理サーバ）
６  ルータ
７  ＥＶＤＯ  アクセスゲートウェイ装置
８  無線ＬＡＮ  アクセスゲートウェイ装置
１０  ＥＶＤＯ  基地局
１１  ブロードバンドルータ
１２  ＥＶＤＯ  アクセスポイント
１３  無線ＬＡＮ  アクセスポイント
１５  移動端末
【図２】
2008312091.tif 000003
【図３】
2008312091.tif 000004
【図４】
2008312091.tif 000005
【図５】
2008312091.tif 000006
【図６】
2008312091.tif 000007
【図７】
2008312091.tif 000008
【図１１】
2008312091.tif 000009
【図１２】
2008312091.tif 000010
【図１３】
2008312091.tif 000011
【図１４】
2008312091.tif 000012
【図１５】
2008312091.tif 000013
【図１６】
2008312091.tif 000014
【図１７】
2008312091.tif 000015
【図１８】
2008312091.tif 000016
【図１９】
2008312091.tif 000017
【図２０】
2008312091.tif 000018
【図２１】
2008312091.tif 000019
【図２２】
2008312091.tif 000020
【図２３】
2008312091.tif 000021
【図１】
2008312091.tif 000022
【図８】
2008312091.tif 000023
【図９】
2008312091.tif 000024
【図１０】
2008312091.tif 000025